(57)【要約】【課題】靴ひものトゥ側の部分の締め具合が困難という靴ひもを用いる靴特有の不便に関し、靴ひもを用いる靴に後付けし、器具の一部を回動させるというごく簡単な動作によって、靴ひもの締め具合を調整する機能を提供する。【解決手段】本体部側面に対向する開口部を２組、計４箇所設け、本体部にＸ字状及びＩ字状の双方の手法によって靴ひもを通すことにより、様々な靴ひもの取り付け方に対応して、靴ひもを用いる靴に取り付け可能とし、本体部に靴ひもを通した状態で上蓋部分である回転部を回動させることにより、回転部に付属する柱状の突起が回動方向に移動し、靴ひもをたわませ、引き込む効果を生じさせ、これによって靴ひもを締め上げる効果を得る。【選択図】図４
2019017962.tif 000002
【特許請求の範囲】
【請求項１】
靴ひもを用いる靴に取り付けられた靴ひもに取り付ける靴ひもの締め具合調整器具であって、円状の縁を有する有底状をなし、側面に対向する２組の開口部（計４カ所）を有する本体部と、前記本体部の縁に対して嵌合することにより取り付け、本体部下底に向かって起立する複数本の柱状の突起を有する回転部を備え、前記本体部の対向する開口部に靴ひもを通して前記回転部を本体部の縁に沿って回動することにより、靴ひもを締め付けることが出来ることを特徴とする靴ひもの締め具合調整器具。
【請求項２】
前記靴ひもの締め具合調整器具において、前記回転部の突起それぞれの間の空間と前記本体部側面の開口部の位置関係を揃え、Ｘ字状（対向する開口部２組を使用）、或いはＩ字状（対向する開口部１組を使用）のいずれかで前記靴ひもを本体部に直線的に通し、これにより、靴ひもを用いる靴のトゥ寄りの部分を含む任意の箇所に取り付けることができる特徴を有する請求項１に記載の靴ひもの締め具合調整器具。
【請求項３】
前記靴ひもの締め具合調整器具において、前記本体部に靴ひもを通して前記回転部を回動し、回転部に付属する前記柱状の突起が回動方向に移動し、前記靴ひもを引き込むことを特徴とする請求項２に記載の靴ひもの締め具合調整器具。
【請求項４】
前記靴ひもの締め具合調整器具において、前記柱状の突起は前記回転部の中心軸に対してその断面がハの字状に形成することを特徴とする請求項３に記載の靴ひもの締め具合調整器具。
【発明の詳細な説明】
【技術分野】
【０００１】  本発明は、靴ひもを用いる靴に取り付けられた靴ひもに取り付け、靴ひもの締め具合を調整する器具に関する。
【背景技術】
【０００２】  ゴルフシューズやスキーブーツの一部のように、靴の製造段階において金属製等のワイヤー及びこれを巻き取る器具等を備え、締め具合を調整する機能を持つ靴は商品として存在している（特許文献１）。他方、このような特殊な機能を持つ靴以外の一般の靴ひもを用いる靴（例えば通常のジョギングシューズやフィットネスシューズ）に後付けして靴ひもの締め具合を調整する機能としては、例えば特許文献２のような提案もなされているが、具体的な製品となっているものは存在しない可能性がある。
【先行技術文献】
【特許文献】
【０００３】
【特許文献１】特開２００８−５２５０５２号公報
【０００４】
【特許文献２】特開２０１１−９２６６５公報
【発明の概要】
【発明が解決しようとする課題】
【０００５】  靴ひもを用いる靴は、通常、靴の甲側に複数のアイレット（靴ひもを通す穴）を有し、インステップ側（足首側）の二つのアイレットから靴ひもの両端を出す形で靴ひもを取り付け、該靴ひもの両端を引っ張って靴ひもを締め上げ、該両端を相互に結ぶことにより固定する。このため、インステップ側付近の締め具合を調整することは容易である。他方、トゥ側（つま先側）の締め具合を調整することは、前記インステップ側のアイレットから出た靴ひもの両端を引っ張ることのみでは円滑には出来ない場合が多い。この問題への対応として、靴ひもを靴に取り付ける時点から、かなりきつめに取り付けることも可能ではあるが、この場合は、靴を履く段階で楽に履けないという問題がある。他方、靴を履く段階の容易性を重視し、比較的靴ひもを緩やかに取り付ける場合もあるが、この場合、前記の通り靴を履いた後に容易に締め具合を調整できるのは足首に近い側であって、つま先側の締め具合を調整することには相当の手間を要する。このように、従来の靴ひもを用いる靴に関しては、適度な締め付け具合を要するスポーツ等の用に供される場合において特に言えることであるが、締め付け具合の調整に関して不便が存在する。【０００６】  本発明の器具は、靴ひもを用いる靴に取り付けられた靴ひもの、トゥ側を含む任意の箇所に取り付け、器具の一部を回動させるというごく簡単な動作によって、器具を取り付けた箇所周辺の靴ひもの締め具合を調整することにより、０００５に述べた靴ひもを用いる靴に特有の不便を解消するものである。
【課題を解決するための手段】
【０００７】  本発明の目標として、通常市販されている一般的な靴ひもを用いる靴に取り付けることができ、前記「発明が解決しようとする課題」に述べた靴ひもを用いる靴に係る不便を解消しようとするものであるが、より具体的には、靴ひもを用いる靴一般について、靴ひもを取り付けてあり、また、インステップ部分付近で（通常はちょうちょう結びで）結んだ状態において、簡単な操作によって、トゥ側部分を含む任意の箇所において、それほど多くはない一定量の（恐らく最大で数センチメートル分か）靴ひもの締め上げ効果をもたらすことのできる仕組みを提供することと定義した。【０００８】  まず靴ひもを用いる靴に取り付けられた靴ひもへの、本器具の取り付け方法であるが、靴への靴ひもの通し方が多様であることを考慮する必要がある。この靴への靴ひもの通し方について概して言えば、シングル方式、パラレル方式と称される、左右に向かい合うアイレット間で水平に靴ひもを通す方式と、オーバーラップ方式やアンダーラップ方式のように、左右に向かい合うアイレット間を斜めに通し、いわば靴ひもが格子状をなす結び方の２種類が存在する。本発明では、本体部に対向する開口部を２組、計４箇所設けることにより、本体部にＸ字状及びＩ字状の双方の手法によって靴ひもを通すことができ、これによって、前記の大きく分けて２種類の異なる靴ひもの通し方双方において本発明の器具を、靴に通した靴ひもの、トゥ側を含む任意の箇所に取り付けることができる。【０００９】  更に、靴ひもの締め具合を調整する、すなわち、靴ひもを締め上げ、或いは緩めるための機構であるが、本発明では、前記のようにＸ字状或いはＩ字状に本体部に靴ひもを通した状態において、上蓋部分である回転部を回動させることにより、回転部に付属する柱状の突起が回動方向に移動し、靴ひもをたわませ、引き込む効果を生じさせ、これによって靴ひもを締め上げる効果を得る。当然ながら、逆方向に回動させれば、緩める効果が生じる。本発明の構造の一つの特徴として述べれば、回転部を回動させることにっよってもたらされる靴ひもの締め上げ効果は、原則として、開口部を通じて本体部に通された靴ひもの全方向に均等に締め上げる・引き込む効果がもたらされることである。これにより、本発明の器具を靴に取り付けた状態で、靴ひもの締め具合を調整する場面において、本発明の器具にいずれかの方向へ偏った力がかかることがなく、すなわち靴への密着感を産み出し、ユーザーに快適な使用感をもたらすことができる。なお、「柱状の突起」については、複数ある突起の先端部分が一つの円盤に接合する形状であっても良い（この場合、見た目的に突起というよりも柱に近い）。【００１０】  なお、既に公知の技術の組み合わせになることが想定されることから請求項としては記述していないが、本発明の器具には、逆転防止の機能を備えることが望ましく、このため、本体部内側に内歯を設け、回転部の一部に逆転方向への動きを妨げるラッチ（ストッパー）を設けても良い。
【発明の効果】
【００１１】  本発明は、ジョギングシューズやフィットネスシューズなどの、一般的な靴ひもを用いる靴に取り付けられた靴ひもに取り付け、器具の一部（回転部）を回動させるという簡単な動作により、靴ひもの締め上げ具合を調整するものである。これにより、ワイヤー等を使用して締め上げる特殊な靴を購入することなく、通常の靴ひもを用いる靴に本器具を後付けすることにより、靴ひもの締め上げ具合を容易に調整する効果をもたらすことができる。
【図面の簡単な説明】
【００１２】
【図１】この発明の一実施形態を示す図である（側面から）。
【図２】この発明の一実施形態を示す図である（上方から）。
【図３】この発明の一実施形態を示す図である（下方から）。
【図４】この発明の一実施形態を示す図である（斜図）。
【図５】この発明の一実施形態に関し、器具内に通した靴ひもをたわませる効果を示す図である（Ｘ字状に靴ひもを通した場合及びＩ字状に靴ひもを通した場合において、回転部を回動させた場合の効果を示す）。
【発明を実施するための形態】
【００１３】  この発明の一実施形態を、図１、図２、図３、図４に示し、以下に説明する。
【００１４】  全体的な形状については、本体部１と回転部２の双方とも円状の縁を有し、当該縁において相互に嵌合している。本体部は、側面に計４箇所の開口部３を有し、本体部に靴ひも４を通すことにより、靴ひもを用いる靴に取り付ける。本器具を使用して靴ひもの締め具合を調整する場合、回転部２を回動させることとなるが、その際、靴ひも４を通す形で連接しているため、本体部１そのものは回転せず、回転部２が本体部１の円状の縁に沿って回転するこことなる。
【００１５】  靴への靴ひもの取り付け方に関して、概して、シングル方式、パラレル方式と称される、左右に向かい合うアイレット間で水平に靴ひもを通す方式と、オーバーラップ方式やアンダーラップ方式のように、左右に向かい合うアイレット間を斜めに通し、いわば靴ひもが格子状をなす結び方の２種類が存在することを踏まえ、本体部１に対向する開口部３を２組、計４箇所設けている。これらの対向する開口部３にＸ字状或いはＩ字状に靴ひも４を通すことによって靴に取り付けるが、２組の対向する開口部３を有することにより、前記の２種類の靴ひもの通し方双方において本発明の器具を、靴に通した靴ひものトゥ側を含む任意の箇所に取り付けることができる。
【００１６】  回転部２は、本体部１の下底に向かって起立する柱状の突起５を備える（図３参考）。この柱状の突起５が、対向する開口部３を通じて直線的に挿入・装着された靴ひも４を、回転部２の回動に伴ってたわませ、結果的に靴ひも４を引き込み、締め上げる効果を生じさせる。本実施形態においては、半円柱状の突起としているが、突起５の形状は必ずしもこれに限られない。複数ある突起の先端部分が一つの円盤に接合する形状であっても良く、その場合、突起というよりも柱に近い。
【００１７】  図５において、この発明の実施形態に関し、本体部１側面の対向する開口部３間に通した靴ひもを、回転部２を回動させることによって引き込み、締め上げる効果について示す。対向する開口部３を２組使ってＸ字状に靴ひもを通す場合及び対向する開口部３を１組のみ用い、Ｉ字状に靴ひもを通す場合の双方において締め上げの効果が得られる。使用する開口部３全てに対して、均等に締め上げの効果が得られ、回転部２の回転時に靴との良好な密着感が得られるのが本構造の効果の特徴の一つである。
【００１８】  ユーザーにとって使い易い製品とするためには、使い易い逆転防止の機能が必要になる。図１等において回転部２を透過させていないため図示はされていないが、本実施形態においては、回転部２の内側部分において、まずは本体部１の円状の縁の下部に内歯を設け、回転部２にこの内歯の特定方向への回転に対してストッパーとなるラッチを備える。他方、このような内歯及びラッチを用いる逆転防止機能は公知の技術であると考えている。
【符号の説明】
【００１９】１：本体部、２：回転部、３：開口部、４：靴ひも、５：柱状の突起（回転部に付属）
【図１】
2019017962.tif 000003
【図２】
2019017962.tif 000004
【図３】
2019017962.tif 000005
【図４】
2019017962.tif 000006
【図５】
2019017962.tif 000007